(57)【要約】【課題】踏板の左右方向の移動を規制するガイドシューの摺動音や衝突音を低減することができ、且つ安価で耐久性と快適性に優れた乗客コンベアを提供する。【解決手段】建築構造物に設置された枠体と、枠体に設けられた２つの乗降床と、複数の対向するリンクプレート８Ａ、対向するリンクプレート８Ａに設けられた回転軸９Ａ、回転軸９Ａに支持されたローラ１４及び回転軸９Ａに設けられた踏板軸１５を有し乗降床間を循環移動する踏板チェーン８と、踏板チェーン８の一側方に踏板軸１５を介して取り付けられた踏板２と、枠体に取り付けられた案内レール７ａとを備える。案内レール７ａは、ローラ１４が回転走行するローラ案内面２６と、ローラ案内面２６から垂直に突出する規制部２１とを備える。踏板チェーン８には、踏板軸１５と重畳する位置であって踏板２が取り付けられている方向とは反対方向の側面に、規制部２１と対向する摺接面１８ａを有するガイドシュー１８Ａが設けられる。【選択図】図７Ａ
2014114140.tif 000002
【特許請求の範囲】
【請求項１】
建築構造物に設置された枠体と、前記枠体に設けられた２つの乗降床と、複数の対向するリンクプレート、対向する前記リンクプレートに設けられた回転軸、前記回転軸に支持されたローラ及び前記回転軸に設けられた踏板軸を有し前記乗降床間を循環移動する踏板チェーンと、前記踏板チェーンの一側方に前記踏板軸を介して取り付けられた踏板と、前記枠体に取り付けられた案内レールとを備える乗客コンベアにおいて、
前記案内レールは、前記ローラが回転走行するローラ案内面と、前記ローラ案内面から垂直に突出する規制部とを備え、
前記踏板チェーンには、前記踏板軸と重畳する位置であって前記踏板が取り付けられている方向とは反対方向の側面に、前記規制部と対向する摺接面を有するガイドシューが設けられていることを特徴とする乗客コンベア。
【請求項２】
請求項１において、
前記回転軸は、前記踏板チェーンから前記踏板が取り付けられている方向とは反対方向に延出した部分を有し、
前記ガイドシューは、前記回転軸の延出した前記部分に設けられている乗客コンベア。
【請求項３】
請求項２において、
前記ガイドシューの前記摺接面は、前記回転軸の延出した前記部分の端面よりも、前記踏板が取り付けられている方向とは反対方向に位置する乗客コンベア。
【請求項４】
請求項１乃至３のいずれかにおいて、
前記ガイドシューは、前記摺接面とは反対側の面に複数の凸部を備え、前記凸部により前記踏板チェーンの前記リンクプレートと係合する乗客コンベア。
【請求項５】
請求項１乃至４のいずれかにおいて、
前記踏板軸は、前記踏板の幅方向の一方側に位置する前記踏板チェーンと他方側に位置する前記踏板チェーンとに共通の軸である乗客コンベア。
【請求項６】
請求項１乃至５のいずれかにおいて、
前記踏板チェーンには、油が供給される乗客コンベア。
【請求項７】
請求項１乃至６のいずれかにおいて、
前記ガイドシューは、前記摺接面の外周部に面取りが設けられている乗客コンベア。
【発明の詳細な説明】
【技術分野】
【０００１】
本発明は、エスカレータや動く歩道等の乗客コンベアに関する。
【背景技術】
【０００２】
エスカレータや動く歩道等に代表される乗客コンベアは、踏板（エスカレータの場合には「踏段」とも呼ぶ）に載せた乗客等を輸送する。乗客コンベアは、建築構造物に設置されたフレームと、このフレームに設けられた２つの乗降床と、無端状に連結されてこれら乗降床間を循環移動する踏板チェーンと、踏板チェーンに取り付けられた踏板と、フレームに取り付けられたレール（案内レール）と、フレームに取り付けられた欄干とから主に構成されている。踏板チェーンは、踏板軸と、対向配置されたリンクプレートと、対向配置されたリンクプレートを連結する回転軸と、回転軸で支持される前ローラとを有する。踏板は、踏板チェーンの踏板軸に回転可能に取り付けられる。レールは、フレームに取り付けられ、踏板を所定の移動経路に沿って案内する。欄干は、踏板の循環移動方向に沿って踏板の両側方に配置されたスカートガードを有する。エスカレータの場合には、２つの乗降床は、フレームの上階及び下階に設けられる。
【０００３】
エスカレータの踏板（踏段）は、乗客が乗るクリートと、各踏段の段差部分を構成するライザーと、レール上を走行するローラ（前ローラと後ローラ）と、クリート及びライザーの側端付近に配置され、ローラを回転可能に支承するブラケット（エスカレータの場合には、特に「三角ブラケット」と呼ばれる。）と、ブラケットに取り付けられた樹脂製のガイドシューとを有する。ガイドシューは、スカートガードの表面に摺接して、踏段の左右方向（循環移動方向に対する横方向）の動きを規制する部品である。一方、動く歩道の踏板は、ライザーを有しておらず、クリート、ローラ、ブラケット及びガイドシューで構成される。
【０００４】
乗客コンベアの踏板としては、アルミダイカスト等によって、クリートとブラケット（エスカレータの踏段については、ライザーも含む。）を一体に成形したものと、ステンレス鋼等を用いてこれらの部材を別々に製作し、ボルト等の結合部材を用いて一体に組み立てたものとが従来知られている。
【０００５】
図１は、アルミダイカストによって製造される従来のエスカレータの踏段の側面図である。エスカレータの踏段２は、クリート１１、ライザー１２、三角ブラケット１３、踏段軸１５、軸受２３、踏段２に取り付けられる後軸１７、後軸１７に取り付けられる後ローラ１６、ガイドシュー１８を備える。踏段２は、踏段軸１５に回転可能に取り付けられた軸受２３に、ボルト２４によって固定される。
【０００６】
図２は、従来のエスカレータの、フレーム内に組み込まれた踏段の正面図である。図２では、踏段２の左右方向（循環移動方向に対する横方向）の一部を示している。図２において、図１と同一の符号は、図１と同一の要素を示している。
【０００７】
図２から明らかなように、踏段２が回転可能に取り付けられる踏段軸１５は、踏段チェーン８に取り付けられる。また、踏段チェーン８は、回転軸によって前ローラ１４を支持する。前ローラ１４の案内レール７ａ、及び後ローラ１６の案内レール７ｂは、フレーム６に取り付けられる。前ローラ１４が案内レール７ａ上を、後ローラ１６が案内レール７ｂ上を、それぞれ回転走行することにより、踏段２は所定の経路を走行する。踏段２に設けられたガイドシュー１８は、所定の間隔を隔てて設けられたスカートガード５と摺接することにより、左右方向の移動が規制される。
【０００８】
上記の従来技術において、スカートガード５は、一般的に厚さが１．５ｍｍから３ｍｍ程度の薄い鋼板で製作されており、左右方向の外力が加わった際には容易に変形してしまう。よって、スカートガード５には、ガイドシュー１８と摺接する部分とその付近との裏側の全域に、補強部材５Ａを設ける必要がある。このために、乗客コンベアの製作コストが高くなるという課題がある。
【０００９】
また、ガイドシュー１８は、乗客が乗るクリート１１の直下に設けられているため、スカートガード５との接触による摺動音が乗客に不快感を与えるという課題がある。更に、前述したようにスカートガード５は鋼板で製作されているので、鋼板に比べて軟らかい樹脂等にて製作されるガイドシュー１８は、摩耗交換サイクルが短いという課題がある。
【００１０】
また、乗客コンベアのメンテナンス時にはスカートガード５を取り外すが、再びスカートガード５を取り付ける際に取り付け方が悪いと、スカートガード５間の継ぎ目に段差が発生する。このような場合には、その段差にガイドシュー１８が衝突して、衝突音や異常摩耗が発生するという課題がある。
【００１１】
このような課題に対して、例えば、特許文献１に記載の技術では、踏段（ステップ）の左右方向の移動の規制をガイドシューとスカートガードとで行うのではなく、後ローラの外側面に摩擦部を設け、案内レールに設けた規制部と摩擦部とを摺接させることにより踏段の左右方向の移動を規制している。しかし、この技術では、踏段の左右方向の移動による力を後ローラで受け止めるため、後ローラが取り付けられるブラケット回りの強度と剛性を上げる必要があり、踏段の材料費が高くなる。
【先行技術文献】
【特許文献】
【００１２】
【特許文献１】特開２００７−２３０６７３号公報
【発明の概要】
【発明が解決しようとする課題】
【００１３】
本発明は、このような従来技術の実情に鑑みてなされたものであり、その目的は、踏板の左右方向（すなわち、循環移動方向に対する横方向）の移動を規制するガイドシューの摺動音や衝突音を低減することができ、且つ安価で耐久性と快適性に優れた乗客コンベアを提供することである。
【課題を解決するための手段】
【００１４】
本発明による乗客コンベアは、次のような特徴を有する。建築構造物に設置された枠体と、前記枠体に設けられた２つの乗降床と、複数の対向するリンクプレート、対向する前記リンクプレートに設けられた回転軸、前記回転軸に支持されたローラ及び前記回転軸に設けられた踏板軸を有し前記乗降床間を循環移動する踏板チェーンと、前記踏板チェーンの一側方に前記踏板軸を介して取り付けられた踏板と、前記枠体に取り付けられた案内レールとを備える乗客コンベアにおいて、前記案内レールは、前記ローラが回転走行するローラ案内面と、前記ローラ案内面から垂直に突出する規制部とを備え、前記踏板チェーンには、前記踏板軸と重畳する位置であって前記踏板が取り付けられている方向とは反対方向の側面に、前記規制部と対向する摺接面を有するガイドシューが設けられる。
【発明の効果】
【００１５】
本発明によると、踏板の左右方向（すなわち、循環移動方向に対する横方向）の移動を規制するガイドシューの摺動音や衝突音を低減することができ、且つ安価で耐久性と快適性に優れた乗客コンベアを提供することができる。
【図面の簡単な説明】
【００１６】
【図１】従来のエスカレータの踏段の側面図である。
【図２】従来のエスカレータの、フレーム内に組み込まれた踏段の正面図である。
【図３】本発明の一実施形態によるエスカレータの要部斜視図である。
【図４】本実施形態によるエスカレータの、フレーム内に組み込まれた踏段の正面図である。
【図５】本実施形態によるエスカレータの一部を示す側面図であり、ガイドシューが取り付けられている踏段チェーンを示す図である。
【図６】本実施形態によるエスカレータの一部を示す上面図であり、図５のＡ視図である。
【図７Ａ】本実施形態によるエスカレータの一部を示す正面図であり、図５のＢ視図である。
【図７Ｂ】本実施形態によるエスカレータの、踏段チェーンに取り付けられているガイドシューを示す図である。
【発明を実施するための形態】
【００１７】
本発明による乗客コンベアには、エスカレータと動く歩道が含まれる。また、以下の説明では、エスカレータの踏段（ステップ）と動く歩道の踏板（パレット）のことを「踏板」と総称する。すなわち、以下で述べる「踏板」には、エスカレータの踏段（ステップ）と動く歩道の踏板（パレット）とが含まれる。
【００１８】
乗客コンベアは、建築構造物に設置されたフレーム（枠体）と、フレームに設けられた２つの乗降床と、無端状に連結されてこれら乗降床間を循環移動する踏板チェーンと、踏板チェーンに取り付けられた踏板と、フレームに取り付けられた案内レールと、フレームに取り付けられた欄干とから主に構成される。
【００１９】
本発明による乗客コンベアは、建築構造物に設置された枠体と、枠体に設けられた２つの乗降床と、複数の対向するリンクプレート、対向するリンクプレートに設けられた回転軸、回転軸に支持されたローラ及び前記回転軸に設けられた踏板軸を有し乗降床間を循環移動する踏板チェーンと、踏板チェーンの一側方に前記踏板軸を介して取り付けられた踏板と、枠体に取り付けられた案内レールとを備える。案内レールは、ローラが回転走行するローラ案内面と、ローラ案内面から垂直に突出する規制部とを備える。踏板チェーンには、前記踏板軸と重畳する位置であって踏板が取り付けられている方向とは反対方向の側面に、規制部と対向する摺接面を有するガイドシューが設けられる。
【００２０】
以下、本発明による乗客コンベアの実施形態について説明する。乗客コンベアにはエスカレータと動く歩道とが含まれるが、以下の実施形態では、エスカレータを例に挙げて説明する。動く歩道は、踏段の形状が異なる点以外はエスカレータと同様の構造であるので、以下の実施形態での説明を適用できる。このため、以下では、乗客コンベアの踏板のことを「踏段」と呼び、踏板チェーンのことを「踏段チェーン」と、踏板軸のことを「踏段軸」と呼ぶ。
【００２１】
図３は、本発明の一実施形態によるエスカレータの要部斜視図である。図３に示すように、本実施形態のエスカレータは、建屋の各階床の床面に設置された乗降床１と、無端状に連結された踏段チェーンに取り付けられ、下階の乗降床１と上階の乗降床１との間を循環移動する複数の踏段２と、踏段２の循環移動方向に沿って踏段２の両側方に配置された欄干３と、欄干３の外周に沿って踏段２と同一方向に循環移動する移動手摺り４と、欄干３の下部に配置されたスカートガード５とを備える。
【００２２】
図４は、本実施形態によるエスカレータの、フレーム内に組み込まれた踏段の正面図であり、ガイドシュー１８Ａの取付け位置を示す図である。図４では、踏段２の左右方向（循環移動方向に対する横方向）の一部を示している。図４において、図３と同一の符号は図３と同一の要素を示しており、これらの要素については説明を省略する。
【００２３】
左右一対の欄干３（図４では示さず）及びスカートガード５は、フレーム６に取り付けられる。フレーム６は、下階の床面と上階の床面との間に架け渡されて、エスカレータ全体を支持する。フレーム６の所定の部分には、踏段２を案内するための左右一対の案内レール７ａと左右一対の案内レール７ｂが取り付けられている。踏段２は、左右一対の踏段チェーン８の間に取り付けられる。すなわち、踏段２は、それぞれの踏段チェーン８の一側方に踏段軸１５を介して取り付けられる。
【００２４】
案内レール７ａは、前ローラ１４を案内し、案内レール７ｂは、後ローラ１６を案内する。踏段チェーン８は、詳細は後述するが、回転軸（図４では示さず。後述するように回転軸の一部分が踏段軸１５の内部に位置する）と前ローラ１４とを備え、回転軸で前ローラ１４を支持する。前ローラ１４が案内レール７ａ上を、後ローラ１６が案内レール７ｂ上を、それぞれ回転走行することにより、踏段２は所定の経路を走行する。踏段チェーン８には、踏段軸１５が連結され、踏段軸１５には、踏段２が回転可能に取り付けられている。後ローラ１６は、後軸１７によって、踏段２に取り付けられる。
【００２５】
なお、以下の説明では、回転軸に沿う方向（踏段軸１５に沿う方向と同じ方向）において、踏段２から遠ざかる方向を「外方向」と称する。回転軸に沿う方向は、踏段２の左右方向、すなわち踏段２の循環移動方向に対する横方向と同じ方向でもある。例えば、図４では左方向が外方向であり、後述する図６、７Ａでは右方向が外方向である。
【００２６】
案内レール７ａ、７ｂは、延伸方向（踏段２の循環移動方向）に垂直な断面がＬ字形である。案内レール７ａは、前ローラ１４が回転走行するローラ案内面２６と、ローラ案内面２６から垂直に突出する規制部２１とを有する。規制部２１は、ローラ案内面２６の外方向の位置に設けられ、Ｌ字形の案内レール７ａを形成する。規制部２１は、踏段２が左右方向（循環移動方向に対する横方向）に移動するのを規制する部分であり、前ローラ１４の外方向に位置する。
【００２７】
本実施形態では、ガイドシュー１８Ａは、踏段チェーン８の外方向の側面に取り付けられる。すなわち、ガイドシュー１８Ａは、踏段チェーン８の、踏板２が取り付けられている方向とは反対方向の側面に取り付けられる。また、ガイドシュー１８Ａは、踏段チェーン８と規制部２１との間で案内レール７ａの規制部２１と対向するように、規制部２１から予め定めた所定の間隔だけ隔てて位置する。ガイドシュー１８Ａの規制部２１と対向する面を、摺接面１８ａと呼ぶ。摺接面１８ａは、ガイドシュー１８Ａの最も外方向の面である。踏段２が循環移動に伴って蛇行した場合には、ガイドシュー１８Ａの摺接面１８ａが規制部２１と摺接することにより、踏段２の左右方向の移動を規制する。
【００２８】
ガイドシュー１８Ａは、従来用いられているガイドシューと同様に、低摩擦の材料で形成することができる。ガイドシュー１８Ａに用いる材料の例としては、ポリアセタール樹脂やポリテトラフルオロエチレン樹脂等を挙げることができる。
【００２９】
案内レール７ａは、複数のＬ字形の部材を延伸方向に接続して形成する。一対の案内レール７ａは、工場内で芯出し調整後にそれぞれの案内レール７ａの接続の継ぎ目を段差が生じないようにグラインダー等により平滑に仕上げる。更に、案内レール７ａは、保守時に現地で取り外すことがなく、平滑な継ぎ目は半永久的に維持される。このため、ガイドシュー１８Ａが案内レール７ａの規制部２１に摺接しても、継ぎ目の段差に衝突して衝突音を発生することはない。図２に示したような従来の乗客コンベアでは、メンテナンス時にスカートガード５を取り外すので、スカートガード５間の継ぎ目に段差が発生し、この段差にガイドシュー１８が衝突して衝突音や異常摩耗が発生する場合がある。本実施形態の乗客コンベアでは、このような衝突音や異常摩耗の発生を防止することができる。
【００３０】
更に、踏段チェーン８には摩耗を防ぎ潤滑をよくするために定期的に油が供給されるが、この油はガイドシュー１８Ａの摺接面１８ａにも伝わる。このため、摺接面１８ａと規制部２１との摩擦係数が低減し、摺接音や摩耗進行を抑制することができる。
【００３１】
図５、６、７Ａ及び７Ｂを用いて、ガイドシュー１８Ａの具体的な取付け方法を説明する。図５は、本実施形態によるエスカレータの一部を示す側面図であり、ガイドシューが取り付けられている踏段チェーンを示す図である。図６は、本実施形態によるエスカレータの一部を示す上面図であり、図５のＡ視図である。図７Ａは、本実施形態によるエスカレータの一部を示す正面図であり、図５のＢ視図である。図７Ｂは、本実施形態によるエスカレータの、踏段チェーンに取り付けられているガイドシューを示す図である。図５から図７Ｂは、本実施形態によるエスカレータの踏段２が、傾斜部に連なった状態を示している。図５から図７Ｂにおいて、図３、４と同一の符号は図３、４と同一の要素を示している。
【００３２】
図５、６に示すように、踏段チェーン８は、無端状に連結された複数の対向するリンクプレート８Ａと、複数の回転軸９と、複数の前ローラ１４とを備え、上階及び下階の乗降床間を循環移動する。リンクプレート８Ａは、板状部材であり、前ローラ１４の両側方に設けられ、前ローラ１４を挟んで対向する。回転軸９は、リンクプレート８Ａの循環移動方向の両端部に設けられ、対向する２つのリンクプレート８Ａを連結するとともに、循環移動方向に隣接するリンクプレート８Ａ同士を連結する。前ローラ１４は、各々の回転軸９に支持される。
【００３３】
１つの踏段２に対して、１つの踏段軸１５を設ける（図６を参照）。踏段軸１５を設ける方法について説明する。回転軸９のうち、踏段２の循環移動方向において踏段２内で最前の位置にある回転軸９Ａは、踏段２に向かって延出する。回転軸９Ａのこの延出した部分を、内部が空洞の踏段軸１５で覆う（図７Ａを参照）。従って、踏段軸１５は、リンクプレート８Ａの循環移動方向の３〜５枚毎に、回転軸９Ａに設けられる。図５、６の例では、踏段軸１５は、リンクプレート８Ａの循環移動方向の３枚毎の回転軸９Ａに設けられている。踏段軸１５は、中空パイプ等により製作することができる。
【００３４】
図７Ａに示すように、回転軸９Ａの踏段２に向かって延出した部分の外周面には、予め定めた位置に貫通穴２５が設けられ、踏段軸１５にも、予め定めた位置に貫通穴２５が設けられる。踏段軸１５に回転軸９Ａを嵌め込み、それぞれの貫通穴２５の位置を合わせて貫通穴２５に割りピン１９等を挿入して、踏段軸１５と回転軸９Ａとを連結する。踏段軸１５には、踏段２が回転可能に取り付けられる。踏段２は、案内レール７ａ、７ｂに沿って移動する。
【００３５】
図７Ａに示すように、踏段軸１５が設けられる回転軸９Ａは、踏段チェーン８から踏段２が取り付けられている方向とは反対方向（外方向）にも延出する。回転軸９Ａのこの延出した部分に、ガイドシュー１８Ａを設ける。ガイドシュー１８Ａは、回転軸９Ａに嵌め込まれ、止め輪１０等により着脱可能に固定される。
【００３６】
ガイドシュー１８Ａの最も外方向の面であり規制部２１と対向する面は、摺接面１８ａである。ガイドシュー１８Ａの摺接面１８ａの外方向には、予め定めた所定の間隔を隔てて案内レール７ａの規制部２１が位置する。踏段軸１５に固定された踏段２が循環移動に伴って蛇行した場合には、ガイドシュー１８Ａの摺接面１８ａが規制部２１と摺接することにより、踏段２の左右方向の移動を規制する。また、ガイドシュー１８Ａは、踏段軸１５と重畳する位置に設けられているので、重畳していない位置に設けられている場合と比べて確実に踏板２の左右方向の移動を規制することができる。
【００３７】
ここで、踏段軸１５は、踏段２の幅方向の一方側に位置する踏段チェーン８と他方側に位置する踏板チェーン８とに共通の軸であるため、踏段２の幅方向の両側の三角ブラケット１３で踏段軸１５にかかる踏板２の左右方向の移動を規制する力を負担できるため、幅方向の一方側と他方側とで別々の軸で支持される後ローラ１６にガイドシューを設ける場合に比べて、踏板２の左右方向の移動を規制する力による三角ブラケット１３への負担を低減できる。
【００３８】
なお、ガイドシュー１８Ａの摺接面１８ａは、回転軸９Ａの踏段チェーン８から外方向（踏段２が取り付けられている方向とは反対方向）に延出した部分の端面よりも、外方向に位置する。すなわち、ガイドシュー１８Ａの摺接面１８ａは、回転軸９Ａの外方向の端面よりも外方向に出っ張って、規制部２１の近くに位置する。このため、経年的に摺接面１８ａが摩耗しても、回転軸９Ａの先端が規制部２１と接触しないようになっている。回転軸９Ａに沿う方向における摺接面１８ａと回転軸９Ａの外方向の端面との距離は、ガイドシュー１８Ａの材料や予め定めた摩耗代などに応じて定めることができる。
【００３９】
本実施形態では、ガイドシュー１８Ａを外方向から回転軸９Ａに嵌めることで、ガイドシュー１８Ａの取付け位置を容易に決めることができる。このため、ガイドシュー１８Ａの取付けにかかる作業時間を短縮することができる。また、ガイドシュー１８Ａを取り付けるための特別な部材を必要としないので、材料費及び加工費を軽減できる。
【００４０】
本実施形態のガイドシュー１８Ａには、摺接面１８ａとは反対側の面、すなわち前ローラ１４と対向する面に、複数の凸部２０（図７Ａ、７Ｂ中の斜線部）を設ける。図７Ａ、７Ｂでは、ガイドシュー１８Ａは、２つの凸部２０を備えている。凸部２０が踏段チェーン８のリンクプレート８Ａを挟み込むことによって、ガイドシュー１８Ａは、リンクプレート８Ａの外周面と係合する。
【００４１】
ガイドシュー１８Ａが複数の凸部２０でリンクプレート８Ａを挟み込むことにより、ガイドシュー１８Ａの摺接面１８ａが規制部２１と摺接した際に、これらの接触抵抗によってガイドシュー１８Ａが回転することを抑止できる。このため、ガイドシュー１８Ａのリンクプレート８Ａ、回転軸９、及び止め輪１０との接触面が経年的に摩損するのを防止することができ、本実施形態のガイドシュー１８Ａは耐久性に優れる。
【００４２】
また、本実施形態のガイドシュー１８Ａは、摺接面１８ａの外周部に面取り２２が設けられている。面取り２２により、ガイドシュー１８Ａの摺接面１８ａが案内レール７ａの規制部２１の接続の継ぎ目等に接触した場合でも、ガイドシュー１８Ａに加わる外力を緩和することができる。面取り２２によりガイドシュー１８Ａの耐久性を高めることができる。面取り２２の形状は、曲面状でも直線状でもよい。
【００４３】
なお、以上の実施形態では、エスカレータを例にとって本発明による乗客コンベアを説明したが、本発明による乗客コンベアは、動く歩道にも適用することができる。本発明による乗客コンベアを動く歩道に適用する場合は、踏段２の形状が異なる点以外はエスカレータの場合と同様なので、以上の実施形態での説明を適用できる。このため、動く歩道についての実施形態及び図面は省略する。
【００４４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００４５】
１…乗降床、２…踏段、３…欄干、４…移動手摺り、５…スカートガード、５Ａ…補強部材、６…フレーム、７ａ…案内レール、７ｂ…案内レール、８…踏段チェーン、８Ａ…リンクプレート、９…回転軸、９Ａ…踏段軸が設けられる回転軸、１０…止め輪、１１…クリート、１２…ライザー、１３…三角ブラケット、１４…前ローラ、１５…踏段軸、１６…後ローラ、１７…後軸、１８…ガイドシュー、１８Ａ…ガイドシュー、１８ａ…摺接面、１９…割りピン、２０…ガイドシューの凸部、２１…規制部、２２…面取り、２３…軸受、２４…ボルト、２５…貫通穴、２６…ローラ案内面。
【図１】
2014114140.tif 000003
【図２】
2014114140.tif 000004
【図３】
2014114140.tif 000005
【図４】
2014114140.tif 000006
【図５】
2014114140.tif 000007
【図６】
2014114140.tif 000008
【図７Ａ】
2014114140.tif 000009
【図７Ｂ】
2014114140.tif 000010